(57)【要約】【課題】  室内全体を照射する全般照明器具とは別個に、掃除用の照明装置を設けて、天井面から距離があって通常は十分な明るさが得られない場所であっても、掃除がしやすくする。【解決手段】  本発明の掃除用照明装置１は、室内全体を照射する全般照明器具とは別個に設けられ、室内の低い位置にある掃除箇所を直接照射する掃除用の照明光源１１と、この照明光源１１が内蔵された照明ボックス１２と、照明光源１１のオン・オフ動作を行う個別のスイッチ１３１を備えている。照明ボックス１２は、照明光源１１の照射方向を変更自在な回転機構を備え、照明光源１１の発する光を掃除箇所に対して側方から斜め方向に照射する。また、音楽を出力しうるスピーカ１３３が備えられ、スイッチ１３１のオン動作にともなって、スピーカから音楽が流れるように構成されている。【選択図】  図１
2010062110.tif 000002
【特許請求の範囲】
【請求項１】
室内全体を照射する全般照明器具とは別個に設けられる掃除用照明装置であって、
天井面以外の部分に設けられて室内の低い位置にある掃除箇所を直接照射する掃除用の照明光源と、この照明光源が内蔵された照明ボックスと、前記照明光源のオン・オフ動作を行う個別のスイッチを備え、
この照明ボックスは、照明光源の照射方向を変更自在な回転機構を備えて、照明光源の発する光を掃除箇所に対して側方から斜め方向に照射可能となされたことを特徴とする掃除用照明装置。
【請求項２】
請求項１に記載の掃除用照明装置において、
さらに、音楽を出力しうるスピーカを備えて、前記スイッチのオン動作により、照明光源が点灯するとともに、スピーカから音楽が流れるように構成されたことを特徴とする掃除用照明装置。
【請求項３】
請求項２に記載の掃除用照明装置において、
前記スピーカからの音楽は、一定時間経過後、自動的に停止するように設定されていることを特徴とする掃除用照明装置。
【請求項４】
請求項１〜３のいずれか一つの請求項に記載の掃除用照明装置において、
前記照明ボックスは、室内の造作部または造付家具に配設されており、その前面部が透光性材料により覆われていることを特徴とする掃除用照明装置。
【請求項５】
請求項４に記載の掃除用照明装置において、
前記照明ボックスは、少なくとも前面部が透明アクリル樹脂からなることを特徴とする掃除用照明装置。
【請求項６】
請求項１〜５のいずれか一つの請求項に記載の掃除用照明装置において、
前記室内は、トイレ、浴室、洗面室、キッチン等の水まわり居室内であり、前記照明ボックスが当該居室の少なくとも床面を照射可能に配設されたことを特徴とする掃除用照明装置。
【発明の詳細な説明】
【技術分野】
【０００１】
本発明は、室内の掃除用照明装置に関する。
【背景技術】
【０００２】
近年、産業・社会構造の変化にともない、共働き家庭や核家族、若年または高齢者の単身住まいなど、少人数世帯が増加している。そのような中で、居住者が家事労働にかけることのできる時間は限られており、できるだけ家事負担を軽減し、短時間で効率よく済ませられることが求められている。家事には、洗濯や食事の準備、後片付けなどがあげられるが、洗濯には全自動洗濯乾燥機を使用でき、食事の後片付けには食器洗浄乾燥機を使用できて、比較的負担が軽い。しかし、掃除は、掃除機やクリーナーを用いる以外に自動化が進んでおらず、依然として負担の大きい家事の一つである。
【０００３】
住宅等の建物における日常的な掃除は、ダイニングや寝室などの居室では床面に掃除機をかけて済ませることができるが、キッチン、洗面室、トイレ、浴室などの水まわり居室では、掃除が手間であり、面倒なものであるため、頻繁に行うには心理的な負担も大きい。また、従来、このような水まわり居室の掃除に関しては、汚れがよく取れることや汚れがつきにくいことに着目された商品開発がなされるだけであり、これらによっては掃除をするきっかけには繋がらなかった。
【０００４】
水まわり居室の掃除環境を検討すると、照明は天井照明による全般照明が設けられているのみであり、掃除をするための特別な照明手段は用意されていないのが現状である。このため、天井照明から最も遠い床面では、明るさが足りず、汚れが見えにくい。加えて、例えば、トイレ室や浴室の天井や天井付近に設けられた照明であれば、全般照明として照度は通常の居室より低く抑えられていることが多く、掃除をする床面まで距離があるうえ、洋式便器や浴槽などの設備器具が影を作ってしまい、掃除を行うには明るさが不足していた。また、このような水まわり居室は、特に床面や壁などの低い位置に汚れが付着しやすく、カビ等も繁殖しやすい。したがって、清潔に保つためには頻繁に掃除する必要があって、かつ姿勢をかがめて掃除しなければならないという非常に労力を要するもので、やる気の起こらないものでもあった。
【０００５】
従来、例えばトイレ室における照明として、特許文献１、２等に記載されているようなものがある。特許文献１のトイレ室は、足元に向けて光を照射する照明ユニットを備えて、夜間のトイレ使用に際し、使用者の安全性と快適性とを両立させることが意図されたものである。また、特許文献２のトイレ用照明器具は、トイレ室において、下方への指向性の光と周辺への拡散性の光とによって、着座して読書や携帯電話のメールチェックを行えるようにし、トイレ室内の全般的な明るさを確保するように意図されている。
【特許文献１】特開２００２−２６３０３６号公報
【特許文献２】特開２００４−１１９２８７号公報
【発明の開示】
【発明が解決しようとする課題】
【０００６】
前記従来のトイレ室の照明器具としては、蛍光灯や白熱灯等を光源とするものが用いられており、いずれもトイレ室の全体を１つの照明器具で照明するという一般的な手法が記載されているのみである。しかしながら、トイレ室内を１つの照明器具で照明するとなると、前記のように、例えば便器の影となる部分が生じ、掃除の際に同部分が掃除しにくかったり、あるいは便器横の棚下部が暗がりとなったりするなどの問題が考えられる。
【０００７】
このため、トイレ室を掃除する場合のように、天井面から離れて、明るさの不足する掃除箇所に対しては、全般照明とは別個で局所的に照明し、その汚れの付着状態がわかり、掃除の効果をはっきりと視認できるようにすることが望ましい。また、その掃除の必要性を感じ取れるようにして、掃除のきっかけを積極的に提供できるようにすることができればより好ましい。さらには、上記のように敬遠されやすい水まわり居室の掃除に際し、その掃除意欲を増進させることのできるような仕組みがあれば、より掃除をする機会が増え、こまめに掃除することができて、比較的簡単に掃除を済ませられるようになる。
【０００８】
そこで、本発明は、室内全体を照射する全般照明器具とは別個に、掃除用の照明装置を設けて、天井面から距離があって通常は十分な明るさが得られない場所であっても、掃除がしやすくかつ汚れを見えやすくして掃除のきっかけを作り、さらに、掃除を簡単で楽しく済ませられるようにし、掃除の効果をはっきりと視認できて、きれいになったことを実感してうれしい気分になることのできる掃除用照明装置を提供することを目的としている。
【課題を解決するための手段】
【０００９】
上記した目的を達成するため、本発明に係る掃除用照明装置は、室内全体を照射する全般照明器具とは別個に設けられて、天井面以外の部分に設けられて室内の低い位置にある掃除箇所を直接照射する掃除用の照明光源と、この照明光源が内蔵された照明ボックスと、前記照明光源のオン・オフ動作を行う個別のスイッチを備え、この照明ボックスは、照明光源の照射方向を変更自在な回転機構を備えて、照明光源の発する光を掃除箇所に対して側方から斜め方向に照射可能となされたことを特徴としている。
【００１０】
このような発明により、全般照明器具によっては十分な明るさを得られない居室の低い位置にある掃除箇所を、掃除用の照明光源によって明るく照らし出し、汚れや埃等の付着状態を視認しやすくすることができる。しかも、掃除箇所に対して照明光源の光を斜め方向に照射するので、汚れや埃、ごみ等を浮き立たせて見せる作用があり、容易に掃除すべき箇所を認識することができる。このため、室内にいる人は、掃除をするきっかけが得られ、掃除の意欲がわく。また、視力の弱い人や、高齢者であっても、掃除箇所が見えやすくなり、掃除を行き届かせることが可能になる。また、このように、掃除用の照明光源によって明るく照らし出されていることにより、掃除後は、きれいになった掃除箇所をはっきりと視認することができ、掃除の効果が実感できるとともに気持ちもうれしくなり、やりがいを感じ取ることができるという作用もある。
【００１１】
また、本発明は前記構成の掃除用照明装置において、さらに、音楽を出力しうるスピーカを備えて、前記スイッチのオン動作により、照明光源が点灯するとともに、スピーカから音楽が流れるように構成されたことを特徴としている。
【００１２】
このような構成により、掃除のきっかけ作りだけでなく、掃除をする人が音楽に合わせて楽しく掃除を済ませることできる仕組みを備えたものとなっている。その結果、家事の中でも嫌がられる傾向にあって労力の要する掃除作業を、心理的な負担なく、容易に取り組むことができるようにもなる。
【００１３】
また、本発明の掃除用照明装置においては、前記スピーカからの音楽が、一定時間経過後、自動的に停止するように設定されていることが好ましい。
【００１４】
これにより、掃除のための時間を一定時間に区切り、短時間で効率よく掃除を進めるように促すことができ、日常的にこまめな掃除をすることができるようになる。
【００１５】
また、本発明の掃除用照明装置においては、前記照明ボックスが、室内の造作部または造付家具に配設されており、その前面部が透光性材料により覆われていることが好ましい。具体的には、前記照明ボックスは、少なくとも前面部が透明アクリル樹脂からなることが好ましい。
【００１６】
このように構成されることにより、照明ボックスを室内にすっきりと納めることができ、好ましい外観と意匠を形成することができる。
【００１７】
また、本発明に係る掃除用照明装置において、前記室内は、トイレ、浴室、洗面室、キッチン等の水まわり居室内であり、前記照明ボックスが当該居室の少なくとも床面を照射可能に配設されたことを特徴としている。
【００１８】
このような構成により、こまめな掃除を必要とする水まわり居室において、明るさが足りずに汚れが見えにくくなりやすい床面を、十分な明るさで照らし出して、掃除をするきっかけや動機を簡単につくることができ、嫌な気分にならず楽しく掃除を済ませることができる。また、このように簡単で楽しく掃除を済ませることができるため、家事負担が軽減され、快適に生活することが可能になる。
【発明の効果】
【００１９】
上述のように構成される本発明の掃除用照明装置によれば、天井面から距離があって通常は十分な明るさが得られない場所であっても、汚れを見えやすくして掃除をするきっかけを作り出し、掃除に適した照度を提供して、掃除をしやすくすることができる。加えて、掃除用の照明光源を点灯させると同時に、音楽を流すように構成することができ、掃除をする意欲をかき立て、掃除を楽しく済ませることも可能になる。
【００２０】
また、掃除の終了時には、十分な明るさのもとで清潔感や美観を視認することができるので、きれいになって気持ちがよく、掃除をした達成感ややりがいも得ることができ、掃除に対する心理的な負担も大幅に軽減され、次回の掃除への意欲を増進することにもつなげられる。
【発明を実施するための最良の形態】
【００２１】
以下、本発明に係る掃除用照明装置を実施するための最良の形態について、図面を参照しつつ説明する。
【００２２】
図１〜図６は本発明の掃除用照明装置を例示するものであり、図１は掃除用照明装置を設けた居室内部の正面説明図、図２は図１の側面説明図、図３はスイッチボックスの一例を示す正面図である。また、図４は掃除用照明装置を設けた居室内部の他の形態を示す正面説明図、図５は図４の側面説明図、図６はさらに他の形態を示す正面説明図である。
【００２３】
本発明に係る掃除用照明装置１は、室内全体を照射する全般照明器具とは別個に設けられる。全般照明器具は、図示しないが、天井面に埋め込み型又は吊り下げ一体型のダウンライト等が設けられて、室内を一様に明るくしている。
【００２４】
掃除用照明装置１は、天井面以外の部分に設けられて室内の低い位置にある掃除箇所を照らし出すように設けられる。例示の形態では、トイレ室２において、便器２１が中央に設けられており、側部の壁面に沿って収納部などを備えた手洗い設備３が造付けで設置されている。図２に示されるように、手洗い設備３は、洗面器３１、カウンター３２、収納部３３、鏡３４、ファンヒーターガラリ３５などを備えている。
【００２５】
例示の形態において、掃除用照明装置１は、手洗い設備３の下部に、床面２２に接して設けられた接床部３６に照明光源１１を内蔵している。接床部３６は、床面２２に対して直立した横長形状の側面を形成している。掃除用照明装置１は、掃除箇所を直接照射する掃除用の照明光源１１と、この照明光源１１が内蔵された照明ボックス１２と、スイッチ１３１が設けられたスイッチボックス１３を備えている。
【００２６】
掃除用照明装置１において、照明ボックス１２は、室内の造作部または造付家具に配設されていることが好ましい。例示の場合、トイレ室２の手洗い設備３の接床部３６に内蔵されて、外観上は照明器具が納められていることがわからないほどすっきりとした納まりを形成している。
【００２７】
照明ボックス１２は、その前面部が透明アクリル樹脂あるいはポリカーボネイト樹脂、強化ガラスその他適宜の透光性材料により覆われている。また、照明ボックス１２は、照明光源１１の照射方向を変更自在な回転機構を備えている。これにより、照明光源１１の発する光を掃除箇所に対して側方から斜め方向に照射可能となされている。照明光源１１には、蛍光ランプ（蛍光管）、ＬＥＤ等の小型光源等を使用することができる。
【００２８】
この場合、手洗い設備３の下部の接床部３６に照明ボックス１２が配設されているので、照明光源１１の光が、トイレ室２の床面２２を斜め方向から照射して、床面２２を明るく照らし出す。これにより、通常の全般照明（天井照明）だけでは見えにくかった汚れがはっきりと視認できるようになっている。特に、床面２２に対して斜め方向から光が照射されるので、汚れだけでなく、埃やごみがあれば影をつくってその存在を浮き立たせることができ、汚れた箇所や埃等のある箇所をわかりやすくすることができる。
【００２９】
照明光源１１の照射方向を変更自在とする回転機構については、特に図示しないが、例えば、照明ボックス１２の左右両側面に回動軸が設けられて、接床部３６において一定の範囲内で回動可能に配設されるようにしたり、照明光源１１そのものの角度を照明ボックス１２の外側からレバー等を用いて調整したりするようにしてもよく、その手法は適宜である。また、照明光源１１の照射方向の角度調整は、手動で好みの角度に変更できるようにしても、また、電動で角度を設定できるようにしてもよい。
【００３０】
掃除用照明装置１において、スイッチボックス１３は、図３に例示するように構成されている。このスイッチボックス１３は、トイレ室２の全般照明器具のスイッチとは別個で形成されて、照明光源１１のオン・オフ動作を行う個別のスイッチ１３１を備えている。通常、トイレ室２の全般照明器具のスイッチは、トイレ室２の入口付近でトイレ室２の外側に設けられる。これに対し、掃除用照明装置１のスイッチ１３１は、トイレ室２の内側にあることが好ましく、図２に示すように、トイレ室２内の壁面などに設置されるとよい。
【００３１】
スイッチボックス１３には、照明光源１１の点灯および消灯を操作（オン・オフ動作）するスイッチ１３１が設けられている。トイレ室２の掃除を行うとき、スイッチ１３１をオンにすると照明光源１１が点灯する。掃除が終了すれば、スイッチ１３１をオフにして照明光源１１を消灯させる。なお、照明光源１１は、一定時間経過すれば、自動的に消灯するように制御されていてもよい。
【００３２】
掃除用照明装置１は、さらに、音楽を出力しうるスピーカ１３３を備えている。スピーカ１３３は、トイレ室２の天井部や壁面に設けられても、また図３に例示するように、スイッチボックス１３にスイッチ１３１とともに配設されていてもよい。また、スピーカ１３３は、トイレ室２の複数箇所に配設されて、トイレ室２にいる人が音楽を心地よく聞けるように設置されていてもよい。かかるスピーカ１３３からは、スイッチ１３１のオン動作に連動して、音楽が流れるように構成されている。すなわち、スイッチ１３１を入れると、照明光源１１が点灯するとともに、スピーカ１３３から音楽が流れ出すようになっている。
【００３３】
このような構成により、トイレ室２にいる人は、スイッチ１３１を入れると、照明光源１１が点灯して床面２２の汚れを確認でき、掃除するきっかけを得るだけでなく、スピーカ１３３から流れる音楽の効果で、楽しい気分になって掃除を済ませてしまうことができる。照明光源１１の消灯制御と同様に、スピーカ１３３からの音楽は、スイッチ１３１によりオフ動作できるようにしてもよいし、一定時間経過後、自動的に停止するように設定されていてもよい。
【００３４】
図示するように、トイレ室２の掃除であれば、床面２２の拭き掃除に３分程度あれば完了すると考えられる。そこで、スイッチ１３１をオンにしてから約３分間、照明光源１１が点灯するとともに音楽が流れるようにタイマー等で制御するとよい。そして、３分経過後、自動的に照明光源１１および音楽がオフになるように制御する。これにより、日常の家事の中で、嫌がられる傾向にあるトイレ室２の掃除を、楽しくかつ短時間で終わらせることができ、また、照明光源１１の光があることで通常よりも一層きれいに掃除することが可能となる。
【００３５】
加えて、このように短時間で掃除を済ませることができれば、家事負担としても軽くなり、負担が軽ければ、日常のトイレ使用時に掃除を組み込んで、こまめに掃除をすることも可能となる。掃除の成果は、照明光源１１が床面２２を照らし出していることで、一層よく視認でき、掃除によってきれいで清潔になった床面２２を見て、うれしい気分になり、やりがいや達成感も得られ、次回の掃除への意欲にも繋がるという作用ももたらす。
【００３６】
また、図３に示すように、スイッチボックス１３には、掃除時に照明光源１１を点灯させるスイッチ１３１だけでなく、照明光源１１の照度を落として点灯させるスイッチ１３２を併せて設け、照明光源１１をトイレ室２の間接照明としても利用できるように構成してもよい。
【００３７】
すなわち、スイッチ１３１では照明光源１１の照度を７５０〜１０００ｌｘ程度の高照度に制御し、これを「掃除モード」とする。スイッチ１３２では、照明光源１１の照度を１００ｌｘ程度の低照度に制御し、「リラックスモード」とする。「掃除モード」で使用する際には、流れる音楽も掃除を楽しくできるようなテンポの音楽とするのに対し、「リラックスモード」で使用する際には、ゆったりしたリズムのリラックスできる音楽を流すようし、また、自動的に停止させるまでの時間設定も「掃除モード」より長く設定することが好ましい。
【００３８】
掃除用照明装置１は、上記のように設けられるだけでなく、例えば、図４，５に示すような形態であってもよい。図４，５では、照明ボックス１２が手洗い設備３のカウンター３２の下部に配設されており、図１，２の例よりも上方に設けられている。この場合も、上記と同様に、照明ボックス１２に内蔵された照明光源１１の光を照射する方向が、適宜、変更自在とされている。これにより、照明光源１１の発する光を、床面２２に対して向けたり、便器２１に対して向けたりして調整することができ、掃除の必要な箇所に対して側方から斜め方向に照射することができるようになっている。
【００３９】
また、図６に示す形態では、トイレ室２の内壁面に、単にカウンタートップ３７が設けられており、その下面に照明ボックス１２が配設されている。このように掃除用照明装置１は、トイレ室２の内壁面に照明ボックス１２が単独で設置される形態であってもよく、手洗い設備３等の造付家具が設置できないような狭小なトイレ室２であっても対応することができる。
【００４０】
さらに、掃除用照明装置１は、上記したようにトイレ室２に設けられてトイレ室２内の掃除の際に利用するだけでなく、同様の構造を備えて、浴室、洗面室、キッチン等の他の水まわり居室にも用いることが可能であり、各居室の造作部または造付家具に配設される。例えばキッチンであれば、キッチンカウンターや流し台の下部空間、あるいは収納家具などに掃除用照明装置１の照明ボックス１２を配設することができる。また、このように掃除用照明装置１を設置する居室の種類に応じて、照明光源１１の種類や光色を選択し、演色性に配慮した照明計画としてもよい。このような掃除用照明装置１を居室に設置することにより、日常生活で掃除の行き届きにくい箇所や、掃除をするのを敬遠しがちな箇所であっても、掃除をするきっかけや動機を与えることができ、掃除を楽しく簡単に済ませることが可能になる。
【産業上の利用可能性】
【００４１】
本発明は、住宅等の建物における居室の掃除用の照明として好適に利用することができる。
【図面の簡単な説明】
【００４２】
【図１】本発明の一実施形態である掃除用照明装置を設けた居室内部を正面から見た説明図である。
【図２】図１の掃除用照明装置を設けた居室内部の横から見た説明図である。
【図３】本発明に係る掃除用照明装置におけるスイッチボックスの一例を示す正面図である。
【図４】本発明に係る掃除用照明装置を設けた居室内部の他の形態を示す正面から見た説明図である。
【図５】図４の掃除用照明装置を設けた居室内部の横から見た説明図である。
【図６】本発明に係る掃除用照明装置を設けた居室内部のさらに他の形態を示す正面から見た説明図である。
【符号の説明】
【００４３】
１      掃除用照明装置
１１    照明光源
１２    照明ボックス
１３    スイッチボックス
１３１  スイッチ（掃除モード）
１３２  スイッチ（リラックスモード）
１３３  スピーカ
２      トイレ室（居室）
２１    便器
３      手洗い設備
【図１】
2010062110.tif 000003
【図２】
2010062110.tif 000004
【図３】
2010062110.tif 000005
【図４】
2010062110.tif 000006
【図５】
2010062110.tif 000007
【図６】
2010062110.tif 000008